(57)【要約】【課題】畳表に折目を付加するハンディな折目付け具を提供すること。【解決手段】本体部１０及び押圧部５とからなる折目付け具に関する。押圧部は把持部２とローラ部４とからなる。本体部の適宜位置には把持部１１を、その上面にはブレード部１２を、その下面にはガイド部材１５を設ける。本体部下面を畳床の上面に載せ、ガイド部材を畳床の側面に当接することにより、ブレード部が畳床の外形輪郭に沿って配置される。この畳床の上面に畳表を被覆して位置決めをし、押圧部のローラ部をブレード部の上方から押し付け、転がすことによって、畳表に折目線を設けることができる。ガイド部材は、ブレード部と直交する方向に摺動する。ガイド部材に補助ガイド部材を付加して、第１の折目の外側に第２の折目を形成できる。磁性体からなる薄い板厚の微調整帯板をガイド部材の当接面に磁着させて折目線の位置を微調整することもできる。【選択図】  図１
2005282325.tif 000002
【特許請求の範囲】
【請求項１】
本体部（１０）及び押圧部（５）とからなり、押圧部（５）は把持部（２）と把持部（２）に設けられたローラ部（４）とからなり、本体部（１０）の適宜位置には把持部（１１）を、その上面にはブレード部（１２）を、その下面にはガイド部材（１５）を設け、本体部（１０）下面を畳床等の上面に載置して、ガイド部材（１５）を畳床等の側面に当接することにより、本体部（１０）上面に設けられたブレード部（１２）が畳床等の輪郭に沿って配置されることとなり、この畳床等の上面に畳表等を被覆して位置決めをした後に、前記押圧部（５）の把持部（２）を掴み、ローラ部（４）をブレード部（１２）の上方から押し付け、転がすことによって、畳表等に折目線を設けることができる畳表等折目付け具。
【請求項２】
請求項１において、ガイド部材（１５）が、畳床等の側面に近づき又は遠ざかる方向に往復移動しうることを特徴とする畳表等折目付け具。
【請求項３】
請求項１又は２において、ガイド部材（１５）に補助ガイド部材（３０）を着脱自在に設け、この補助ガイド部材（３０）が畳床等の側面に当接することができ、且つ補助ガイド部材（３０）が、畳床等の側面に近づき又は遠ざかる方向に往復移動して、固定されることを特徴とする畳表等折日付け具。
【請求項４】
請求項１乃至３の何れかにおいて、０．５ｍｍ乃至３．０ｍｍ程度の板厚の薄い微調整帯板（５０）を用意し、この微調整帯板（５０）を磁性体から構成して、ガイド部材（４０）の畳床等への当接面（４６）に磁着させることにより、折目線を設ける位置を微調整できるようにしたことを特徴とする畳表折目付け具。
【発明の詳細な説明】
【技術分野】
【０００１】本発明は、畳床に畳表を縫着する前段階に行う、畳床の長手方向の両サイドの幅に合わせて畳表に折目をつける作業に使用される折目付け具に関するものであり、畳表ばかりでなく、合成樹脂製のカーペット等に折目を付ける際にも使用できるものに関する。
【背景技術】
【０００２】従来においては、畳床に畳表を縫着する前に、畳床の長手方向の両サイドの幅に合わせて畳表に折目付けを手作業で行っていた。即ち、畳表を裏返し、マチ針やヘリ引き等によって畳表の裏面に折目線を付け、その後畳表を表に返して畳床に被覆し縫製を行っていた。
他方、この折目を機械的に付加する大型の自動機械も存在している。特許文献１又は２に記載のものがその例である。
更に、これら自動機械とは異なる手動の折目付け装置が、特許文献３に記載されているが、この装置も畳床の長手方向の一側縁の全体に渡って配置され、蝶番を介して押圧部材が畳床の側面に押圧されて畳表に折目が付加されるものであり、自動機械ではないが、相当大掛かりなものとなっている。
【特許文献１】特開２００２−３３２７４２号公報
【特許文献２】特開平１０−８８７７５号公報
【特許文献３】特開２０００−８７５４０号公報
【発明の開示】
【発明が解決しようとする課題】
【０００３】そこで、本発明では、簡単に且つ確実に畳表に折目線を付けることのできる小型の道具又は器具を提供することをその第一の課題としており、しかも、畳表を裏返す必要がなく、畳床に被覆した状態で、簡単に折目線を付けることができ、その後すぐに縫製に取り掛かれるものを提供することをその課題としている。
次に、本発明では、このような小型で簡便な道具ではあるが、畳表に畳床の長手方向の上縁部（上角部）に合致する折目線を設けることに加えて、アタッチメントを取り付けることによって、更にその外側にも折目線を容易に形成できるものを提供することをも課題としている。この外側の折目線は、畳床の長手方向の側面の下縁部（下角部）に合致するものであって、この折目線により畳床の裏面に畳表の縁部が折り込まれ、縫製されるためのものである。
更に、本発明においては、畳床の長手方向の上縁部と、畳表に設けられる折目線の位置を微調整できるものを提供することもその課題としている。
【課題を解決するための手段】
【０００４】上記課題を解決するために、本発明の第１のものは、本体部及び押圧部とからなり、押圧部は把持部と把持部に設けられたローラ部とからなり、本体部の適宜位置には把持部を、その上面にはブレード部を、その下面にはガイド部材を設け、本体部下面を畳床等の上面に載置して、ガイド部材を畳床等の側面に当接することにより、本体部上面に設けられたブレード部が畳床等の輪郭に沿って配置されることとなり、この畳床等の上面に畳表等を被覆して位置決めをした後に、前記押圧部の把持部を掴み、ローラ部をブレード部の上方から押し付け、転がすことによって、畳表等に折目線を設けることができる畳表等折目付け具である。【０００５】本発明の第２のものは、上記第１の発明において、ガイド部材が、畳床等の側面に近づき又は遠ざかる方向に往復移動しうることを特徴とする畳表等折目付け具である。
本発明の第３のものは、上記第１又は第２の発明において、ガイド部材に補助ガイド部材を着脱自在に設け、この補助ガイド部材が畳床等の側面に当接することができ、且つ補助ガイド部材が、畳床等の側面に近づき又は遠ざかる方向に往復移動して、固定されることを特徴とする畳表等折目付け具である。
本発明の第４のものは、上記第１乃至第３の何れかの発明において、０．５ｍｍ乃至３．０ｍｍ程度の板厚の薄い微調整帯板を用意し、この微調整帯板を磁性体から構成して、ガイド部材の畳床等への当接面に磁着させることにより、折目線を設ける位置を微調整できるようにしたことを特徴とする畳表等折目付け具である。
【発明の効果】
【０００６】本発明の第１のものにおいては、畳床の上面に畳表を被覆して配置し、本体部の把持部を一方の手によって把持し、本体部下面を畳床の上面に載置し、ガイド部材を畳床の長手方向の側面に当接させた状態とし、他方の手で把持した押圧部を本体部上面のブレード部の上方から下方に押し付け、畳表をローラ部とブレード部との間に介在させた状態で、ローラ部を回転させることによって、畳床の長手方向の輪郭線上で、畳表の裏側に折目線がブレード部の長さ分だけ形成される。そして、本体部を畳床の上面に載せてガイド部材を畳床の側面に当接させたままの状態で、本体部を畳床の長手方向側面に沿って（畳床の輪郭に沿って）前方又は後方に適宜長さ移動させた後、再度ローラ部をブレード部の上から適宜回転させて折目線を付加し、これを繰り返すことによって、畳表の裏面に畳床の長手方向の側面上縁部に沿ってその全体に折目線が形成されるのである。
このように大掛かりな自動機械又は装置を利用することなく、畳床の形状に合致した折目線を容易に畳表の裏面に形成することが出来るのである。【０００７】本発明の第２のものにおいては、ガイド部材が畳床等の側面に当接する方向において、畳床等の側面に近づき又は遠ざかる方向に移動できるため、これにより相対的にブレード部の位置を畳床の側面の上縁線の真上、或いは、上縁線の少し内側等に微調整することができることとなる。【０００８】本発明の第３のものにおいては、ガイド部材に更に補助ガイド部材を着脱自在に設けており、この補助ガイド部材が畳床の長手方向の側面と当接することができ、この補助ガイド部材を取り付けた状態で、第１の折目線を設けた後に、補助ガイド部材を取り外して前記ガイド部材を畳床の側面に当接し、畳床の外形輪郭に沿って第２の折目を第１の折目の内側に所望間隔で形成することができることとなる。この外側の第１の折目線が畳床の側面の下縁角部に合致することにより、畳表を畳床の側面から裏面にかけて被覆するタイプの畳にも容易に対応させることができるのである。また、補助ガイド部材が畳床の側面に近づき又は遠ざかる方向に移動できるため、畳床の厚みに一致するように調整可能となる。
尚、畳によっては、畳表を畳床の裏面まで巻き込むタイプでないものもあり、この場合には、このアタッチメントとしての補助ガイド部材は不要となる。【０００９】本発明の第４のものにおいては、畳床の長手方向の一方の側縁上に折目線を形成する際に、予めガイド部材の位置を微調整するためのアタッチメントとしての帯板を付加したものである。即ち、板厚の薄い０．５ｍｍ乃至３．０ｍｍ程度の磁性体からなる帯板をアタッチメントとして用意し、これをガイド部材の畳床側面等への当接面に磁着させておき、この状態で畳床の一方の側面上縁部に一致する折目線を畳表の裏面に形成する。その後この一方の側縁部を縫製した後、他方の側縁に折目線を形成する際に、畳表を畳床上にピンと張り詰めた状態で縫製できるようにするため、その他方の側縁に形成する折目線を畳床の側縁上よりも１ｍｍ乃至２ｍｍ程度内側に形成する必要がある場合があり、この場合に、ガイド部材の位置を微調整する手間を省くために、前記付加したアタッチメントを取り外して、折目線を付加することにより、上記要請を満たすことができるものである。
【発明を実施するための最良の形態】
【００１０】以下、添付の図面と共に本発明の実施の形態について説明する。
図１が本発明の第１の実施形態を図示する斜視図であり、図２が同じく第１の実施形態の使用状態を図示する正面説明図である。
本発明に係る畳表等折目付け具は、本体部１０と押圧部５とから構成されている。押圧部５は、横断面略コ字形状の金属製の把持部２と、この把持部２に回転自在に軸着されたローラ部４とからなる。把持部２は、右利きの使用者の場合には、右手の手の平で押圧する押圧面２ａと、この押圧面２ａの両側から下方に延長するローラ支持面２ｂ、２ｂから形成され、これら押圧面２ａとローラ支持面２ｂ，２ｂを右手で把持することができる。押圧面２ａは、手の平が当たる部分（図中左側）が延長され、手の力が加わり易い形状に形成されている。【００１１】ローラ部４は、硬質合成樹脂製のローラの表面に約５ｍｍ乃至１０ｍｍ程度の厚みの軟質合成ゴムを被覆したものから形成し、後に説明する本体部の金属製のブレード部の上から押圧して回転することにより、畳表に確実に折目線を形成できるように構成している。
このようにローラ部４の表面に軟質合成ゴムを被覆しているため、ローラ部とブレード部の間で押圧される畳表は、ソフトに押圧され、畳表の裏面にはより適切に折目が形成され、畳表の折り角で、畳表の繊維が切れてしまう等の際立ちの問題は全く生じないのである。【００１２】本体部１０は、金属製の平面視略矩形形状の板状体のものからなり、図１中左上側縁（図２では左端側）の下面に把持部１１を設け、その上面の中央やや右寄りにブレード部１２をその長手方向の全体に渡り設けている。
このブレード部１２も金属製であり、その横断面は、略三角形形状の山型に形成され（図２参照）、頂点が鋭角に形成され、その頂点の延長線が直線状に形成されて刃状に形成された刃部１３を有しているが、その両端部では、その山型が徐々に低くなるように形成し、頂点の刃部もアールを付けて安全を考慮している。【００１３】本体部１０の下面には、ガイド部材１５が設けられており、このガイド部材１５は、本体部１０とは別体に構成し、両者は後に説明する固定ネジ２１によって相互に結合、固定される。
このガイド部材１５は、金属製のアングル材を利用しており、このアングル材の下方に延長する面が畳床の長手方向側面に当接する当接面１６となる。当接面１６と直角方向に延長する摺動面１７からは、本体部１０の下面に沿って延長する延長部１８、１８がその両端部側の２箇所に設けられている。【００１４】この延長部１８のそれぞれには、長孔１９が形成され、本体部１０の下面に植設されているネジ棒２２、２２がこれらの長孔１９、１９に嵌入する。そして、これらのネジ棒２２、２２に固定ネジ２１、２１を螺合することによって、ガイド部材１５が本体部１０の下面に固定される。
固定ネジ２１の締着に際し、長孔１９が本体部１０のブレード部１２と直交する方向に形成されているため、長孔１９における固定位置を選択することにより、ガイド部材１５の位置を選択することができる。即ち、ガイド部材１５の当接面１６の位置を、ブレード部１２の刃部１３の真下、或いは少し右側又は左側と、その位置を微調整することができるのである。【００１５】次に図２を利用して、この第１の実施形態に係る折目付け具の使用法を説明する。
まず、固定ネジ２１を緩めて、ガイド部材１５の当接面１６の位置を決定し、その後固定ネジ２１を締め付けてガイド部材１５を本体部１０の下面に固定する。
畳床６０の上面に畳表６１を被覆して配置する。
本体部１０の把持部１１を左手で持ち、畳表６１の側縁部を少し持ち上げて、畳床６０の上面に本体部１０の下面を載せ、ガイド部材１５の当接面１６を畳床６０の長手方向側面に当接させる。この状態で、ブレード部１２の刃部１３の位置が畳表６１に形成されるべき折目線の位置に配置されることとなる。【００１６】そして、ブレード部１２の上方から、右手で把持した押圧部５のローラ部４をブレード部１２に押し付けて、ローラ部４と刃部１３の間に畳表６１を介在させた状態で、ローラ部４を刃部１３の上で回転させる。
これによりブレード部１２の長さ分だけ畳表６１の裏面に折目線が形成される。
その後、本体部１０及びガイド部材１５を畳床６０の長手方向側面に沿って前方に又は後方に移動して、再度ローラ部４を押圧、回転させて、折目を繰り返し付加し、この作業を何回か繰り返すことによって畳床６０の長手方向側面に沿って畳表６１に折目線を形成することができるのである。【００１７】図３及び図４は、本発明の第２の実施形態を図示しており、図３は、そのガイド部材とアタッチメントとしての補助ガイド部材を図示する斜視図であり、図４は、使用状態を図示する全体正面説明図である。
この第２の実施形態においては、上記第１の実施形態に更に補助ガイド部材をアタッチメントとして着脱自在に付加したものである。
補助ガイド部材３０は、金属製の板材を略直角に折曲したものからなり、その鉛直下方に垂下する面が畳床の側面と当接する当接面３５となり、その水平方向に延長する面が摺動面３７となっている。この摺動面３７の上面が本体部２０の下面を摺動し、その下面が畳床６０の上面に載置されるものである。【００１８】この補助ガイド部材３０の当接面３５の背面側には、２本の金属製丸棒からなるガイド棒３１，３１が設けられ、これらガイド棒３１、３１を案内するガイド筒３２、３２がそれぞれガイド棒３１、３１と対応するガイド部材２５の位置に設けられている。
更に詳述すれば、ガイド筒３２は、金属製の角型パイプを利用し、その一方端開口部をガイド部材２５の当接面１６に溶接着して、当接面１６に形成されている開口部３３から補助ガイド部材３０のガイド棒３１を嵌入しうるように構成している。
このようにガイド筒３２内にガイド棒３１が適宜長さ分だけ嵌入され、その後固定ネジ３４をガイド筒３２の下側から締め付けて、ガイド棒３１がガイド筒３２内で固定されることとなる。これにより補助ガイド部材３０が所望位置で本体部１０の下面でガイド部材２５に固定されるのである。【００１９】ここで、補助ガイド部材３０のそれぞれのガイド棒３１には、ストッパー部材３６が設けられており、このストッパー部材３６は、ガイド棒３１に沿って摺動することが出来、その下面から固定ネジ３８によって固定することができる。従って、ストッパー部材３６は、この固定ネジ３８を緩めることによって、ガイド棒３１に沿って所望の位置に移動させることができ、その後固定ネジ３８を締め付けることによってストッパー部材３６を所望位置に固定することができるように構成されている。この実施形態では、ストッパー部材３６として、ガイド部材２５のガイド筒３２で使用した角型パイプと同じものを短く切断したものを使用した。【００２０】  これにより、このストッパー部材３６のそれぞれを予めガイド棒３１の所定の位置に固定することにより、所定の間隔を保持して補助ガイド部材３０をガイド部材２５に固定することができる。この所定の間隔を畳床の厚みに一致させることにより、畳床の側面の下縁角部に対応する折目線を設けることが出来るのである。
補助ガイド部材３０は、必要に応じてガイド部材２５に固定することができるものであり、前記した通り着脱自在である。【００２１】次に、図４を利用して、この実施形態の使用法を説明する。
まず、この実施形態においては、畳床６０の上面に畳表６１を被覆して、畳表６０の一方の側縁を畳床６０の側縁部にマチ針等で固定し、位置決めをする。
そして、補助ガイド部材３０を本体部２０のガイド部材２５に取り付け、固定する。即ち、補助ガイド部材３０の両ガイド棒３１，３１に設けられているストッパー部材３６を畳床の厚みに一致する距離の位置に配置して固定ネジ３８を締め付けて固定する。その後、両ガイド棒３１，３１をガイド部材２５のガイド筒３２、３２内に嵌入させ、両ストッパー部材３６、３６がガイド部材２５の当接面１６に当接した状態で、固定ネジ３４，３４を締着して、補助ガイド部材３０をガイド部材２５に固定する。
ストッパー部材３６の固定位置を、例えば３０ｍｍ、５０ｍｍ等、畳床６０の厚みに一致する位置に配置しておくことにより、補助ガイド部材３０の当接面３５をガイド部材２５の当接面１６から畳床の厚み分だけ離隔した状態で固定できることとなる。【００２２】この状態で、補助ガイド部材３０の摺動面３７の下面を畳床６０の上面に載せて当接面３５を畳床６０の側面に当接させた状態で、前記第１の実施形態と同様にして、押圧部５のローラ部４をブレード部１２の刃部１３の上から押圧して回転させることによって折目線６５が形成されることとなる。この動作を繰り返すことにより、畳表６１に第１の折目線６５が形成されるのである。【００２３】次に、上記補助ガイド部材３０をガイド部材２５から取り外して、ガイド部材２５の当接面１６を畳床６０の側面に当接して、上記第１の折目線６５から所定間隔内側に第２の折目線６６（図示はしているが、この状態ではいまだ折目線は形成されていない。）を形成する訳である。この第２の折目線６６は、畳床６０の側面の上縁部角部に対応する折目となるものである。
このように、この第２の実施形態においては、畳表を畳床の裏面にまで巻き込んで縫製するタイプの畳の作製に際して必要となるものである。
尚、折目線付加の順序は、全く自由であって、上記使用法は一つの例である。【００２４】図５は、ガイド部材の他の実施形態と、ガイド部材にアタッチメントとして磁着できる折目線付加位置の微調整板としての帯板を図示する斜視図である。
このガイド部材４０は、金属製の長尺帯板からなり、この帯板４６が畳床の側面に当接する当接面４６となっており、この帯板４６の背面側には、延長部４８、４８がその両端側に形成され、これらの延長部４８、４８の内側にガイド筒４２、４２が延設されている。延長部４８とガイド筒４２の上面は、当接面４６の上縁部と同一平面状に位置し、面一状態に形成されている。【００２５】延長部４８、４８は、このガイド部材４０が本体部下面で、本体部下面に沿って摺動するために機能し、また、ガイド筒４２、４２は、前記第２の実施形態に係る補助ガイド部材３０のガイド棒３１，３１を案内する機能と、上記延長部４８と同様に、本体部下面で、本体部下面に沿ってガイド部材４０が摺動するために機能する。
延長部４８とガイド筒４２との間隔は、前記第１の実施形態に係る本体部で説明した本体部の下面に植設されたネジ棒２２が嵌入できる間隔であればよい。【００２６】そして、延長部４８とガイド筒４２の間隔内にネジ棒２２を嵌入させて、固定ネジ２１によって、この実施形態に係るガイド部材４０を本体部下面に締め付け、固定することができる。尚、延長部４８とガイド筒４２とは、その先端部側で接続部４９によって接続されている。
折目線付加位置の微調整板としての微調整帯板５０は、所定厚み０．５ｍｍ乃至３．０ｍｍ程度の厚みを有する磁性体からなるものであって、ガイド部材４０の当接面４６とほぼ同一形状を有するものであり、その上縁部の２箇所に切欠部５３、５３を設けている。この切欠部５３の位置は、ガイド部材４０の当接面４６に位置するガイド筒４２の開口部４３と同一位置に設けられている。【００２７】このようにアタッチメントとして微調整帯板５０を用意したのは、予めこの微調整帯板５０をガイド部材４０の当接面４６に磁着して置き、畳床の一方の側面に沿って第１の折目線が形成された後、他方の側の側面に沿って第２の折目線を形成する場合に、畳表を畳床上によりピンと張り詰めた状態で縫製できるようにするため、両側の折目線の間隔を畳床の両側の間隔よりも少し１ｍｍ乃至２ｍｍ程度狭く形成できるように、前記微調整帯板５０を当接面４６から取り外して折目線を形成すれば、前記要請を満足させることができるのである。【００２８】実際には、この微調整帯板５０を利用しなくとも、ガイド部材４０自体を本体部のブレード部と直交する方向に少し移動させることによっても微調整可能なのであるが、このアタッチメントを利用する方が簡単に微調整が可能となり、また、何枚かの同一の畳を作成する場合には、最初のブレード部の位置決めをしておいて、その後その位置決めを同一の他の畳の製作にも利用できるため、その位置決めを維持する必要もあるからである。
尚、微調整帯板５０の材質は全く自由であり、金属製でなくとも磁性体であれば硬質又は軟質の合成樹脂製でも良いし、その厚みも０．５ｍｍ乃至５．０ｍｍ程度の範囲内で、適宜設計変更することが可能である。【００２９】以上、本発明の実施形態について説明したが、本発明においては以下の通り種々設計変更することが可能である。
本体部及び押圧部の形状、大きさ等は適宜必要に応じて設定することが出来る。上記実施形態においては、本体部上面に形成されているブレード部の長手方向の長さは４０ｃｍ乃至４５ｃｍ程度に設定している。
ブレード部の横断面形状も、上記実施形態の略３角形形状に限られず、適宜設計変更することができ、要は、その頂部に刃部が形成され、押圧部のローラ部の押圧、回転により折目が形成できるものであればよい。
本体部左側下面に形成された把持部も、握りやすいように手の指に合致するような形状に形成することもできる。【００３０】ガイド部材の形状等も自由に設計することができ、上記実施形態のように、金属製のアングル材、或いは帯板から形成したものであってもよく、このガイド部材が本体部の下面で、ブレード部と直角方向に摺動でき、且つ本体部の下面に固定できるものであればよい。
ガイド部材の摺動手段の構成も全く自由に設計することができる。
また補助ガイド部材の構成も全く自由に設計することができ、図３に図示した補助ガイド部材の摺動面３７は、ガイド部材の方向に延長していてもよく、要は当接面３５がブレード部と直交する方向に摺動することができればよい。従って、その摺動するための構成も全く自由に設計することができる。【００３１】従って、ガイド棒が嵌入するガイド筒も角型パイプでなく、断面円形のパイプでもよいし、他方、ガイド棒の方を断面四角の角棒から形成してもよいことも勿論である。
ストッパー部材の形状等も全く自由に設計することができ、上記実施形態のような角型パイプを短く切断したものでなく、丸パイプを短く切断したものでもよく、その構成は全く自由に設計することができる。【００３２】尚、本発明は、畳表に折目を設けるためのものとして開発されたが、折目が付加されるものは、必ずしも畳表に限られず、合成樹脂製のカーペットの裏面に折目を付加することも可能なものである。
合成樹脂製のカーペット等に折目を付ける場合は、カーペットを適宜形状の載置台の上に載せて、その載置台の側面を利用して、その側面に沿ってカーペットの裏面に折目を適宜設けることができる。従って、折目が必要な箇所に載置台の側面を配置して、カーペットを配置すればよいこととなる。【００３３】また、ガイド部材の摺動方向で、本体部裏面に目盛りを設け、ガイド部材の摺動距離を容易に目視できるようにすることも可能である。即ち、ブレード部の刃部の真下にガイド部材の当接面１６が位置するところを基準線として、その基準線をゼロ目盛りとし、その摺動方向の両側に１ｍｍ単位の目盛りをプラス方向及びマイナス方向に設けて、これにより折目線を設ける位置をミリ単位で目視しつつ設定することも可能となる。
以上、実施の形態については特許請求の範囲内において種々設計変更することが可能である。
【図面の簡単な説明】
【００３４】
【図１】本発明の第１の実施形態を図示する斜視図である。
【図２】本発明の第１の実施形態の使用状態を図示する正面説明図である。
【図３】本発明の第２の実施形態に係るガイド部材と補助ガイド部材を図示する斜視図である。
【図４】本発明の第２の実施形態の使用状態を図示する正面説明図である。
【図５】本発明に係るガイド部材の他の実施形態と微調整帯板を図示する斜視図である。
【符号の説明】
【００３５】  ２、１１…把持部、５…押圧部、４…ローラ部、１０、２０…本体部、１２…ブレード部、１３…刃部、１５、２５、４０…ガイド部材、１６、４６…当接面、２１…固定ネジ、２２…ネジ棒、３０…補助ガイド部材、３１…ガイド棒、３２…ガイド筒、３３…開口部、３４…固定ネジ、３６…ストッパー部材、３８…固定ネジ、５０…微調整帯板
【図１】
2005282325.tif 000003
【図２】
2005282325.tif 000004
【図３】
2005282325.tif 000005
【図４】
2005282325.tif 000006
【図５】
2005282325.tif 000007